(57)【要約】【課題】使用時に乗馬にきわめて似ている動感がする乗馬フィットネス機器を提供しようとする。【解決手段】乗馬フィットネス機器は、台座２と、支持フレーム３と、足掛け手段４と、保持手段５と、腰掛け台６とを備えている。台座２は前後方向に延伸した状態に設けられている。支持フレーム３は台座２からほぼ垂直に立ち上がるように設けられている。足掛け手段４は、前後両端４１，４２を有し、その前端４１が支持フレーム３の前方へ延出し、且つ、その後端４２が前後両端４１，４２の間の特定箇所で支持フレーム３に上下揺動可能に枢支されている。この足掛け手段４は、その前端４１近くが踏まれると下方へ揺動することができる。保持手段５は、足掛け手段４からほぼ垂直に立ち上がるように、足掛け手段４の後端４２の近くで上下揺動可能に枢支されている、伸縮可能な手段である。腰掛け台６は、保持手段５によって台座２の上方に保持されていて、使用者が着座することができる台である。【選択図】図１
0003105279.tif 000002
【実用新案登録請求の範囲】
【請求項１】
前後方向に延伸した状態に設けられている台座と、
この台座から立ち上がるように設けられている支持フレームと、
前後両端を有し、その前端が前記支持フレームの前方へ延出し、且つ、該前後両端の間の特定箇所で上下揺動可能に前記支持フレームに枢支されていて、その前端近くが踏まれると下方へ揺動することができる足掛け手段と、
この足掛け手段から立ち上がるように、その前記後端近くで上下揺動可能に枢支されている保持手段と、
この保持手段によって前記台座の上方に保持されていて使用者が着座することができる腰掛け台とを備えていることを特徴とする乗馬フィットネス機器。
【請求項２】
前記保持手段は、上下両端を有し、その上端近くに上下一組の通孔が形成され、その下端近くで前記足掛け手段の後端近くに枢支されている保持管と、上下両端を有し、その下端近くの部分が前記保持管の上端近くの部分に外嵌し、且つ、そこに貫通孔が形成されている接続管とからなる、伸縮可能なものであり、
前記接続管は、前記貫通孔と前記上下一組の通孔のいずれかの１つとを通るピンによって前記保持管に保持固定することができることを特徴とする請求項１に記載の乗馬フィットネス機器。
【請求項３】
前記腰掛け台は、前記接続管の上端に設けられた緩衝装置と、この緩衝装置によって前記接続管の上方に揺動可能に保持されたサドルとから構成されていることを特徴とする請求項２に記載の乗馬フィットネス機器。
【請求項４】
前記緩衝装置は、
前記サドルの下面及び前記接続管の上端にそれぞれ設けられている上下２つの平板と、
上下両面とこれら上下両面の間に延設されて互いに左右対称及び前後対称となっている二組の側面とを有する直方体からなり、左右２つの側面が上方の平板に枢支され、前後２つの側面が下方の平板に枢支されていて、前後左右に若干揺動することができる自在継ぎ手と、
前記上下２つの平板に挟まれている複数の弾性部材とからなっていることを特徴とする請求項３に記載の乗馬フィットネス機器。
【請求項５】
前記支持フレームの上端近くに、前記保持管の上下揺動を案内するための案内機構が枢支されており、
この案内機構は、前記保持管が挿通される中空ケースと、この中空ケース内の前記保持管の両側に並ぶように保持されていて前記保持管の上下揺動を案内する複数のコロとからなっていることを特徴とする請求項２に記載の乗馬フィットネス機器。
【請求項６】
前記サドルに、その下面から前方へ延出していて使用者に握られるハンドルが設けられていることを特徴とする請求項１〜５のいずれか１つに記載の乗馬フィットネス機器。
【考案の詳細な説明】
【技術分野】
【０００１】
本考案は乗馬フィットネス機器に関し、もっと詳しくは、乗馬のように揺動して身体のバランスや筋力強化を訓練する乗馬フィットネス機器に関する。
【背景技術】
【０００２】
図５に示すように、従来の乗馬フィットネス機器１は、メインフレーム１１と、支持管１２と、操作管１３と、保持管１４と、サドル１５と、連結管１６と、２つの底管１７と、ストッパー１８とから構成されている。
メインフレーム１１は、前後両端１１１，１１２を有し、後端１１２から前端１１１へ徐々に上がるように延伸されると共にその後に急に立ち上がるように構成されている。支持管１２は、上下両端１２１，１２２を有し、その下端１２２がメインフレーム１１の前端１１１の下側にあって後端１１２と同一の水平面にあるように設けられている。
操作管１３は、上下両端１３１，１３２を有し、メインフレーム１１の前端１１１近くにおける上下両端１３１，１３２の間の特定箇所で前後揺動可能に枢支され、その上端１３１が使用者に握られるハンドルとされ、その下端１３２が使用者に踏まれる足掛けとされている。
【０００３】
保持管１４は、メインフレーム１１から上後方へある程度立ち上がってから下後方へ曲がった後、引き続いて延伸するように、メインフレーム１１に枢支されている。サドル１５は、保持管１４の上に取り付けられている。連結管１６は、前後両端１６１，１６２を有し、該前後両端１６１，１６２がそれぞれ、操作管１３及び保持管１４に揺動可能に枢支されている。
底管１７はそれぞれ、メインフレーム１１の後端１１２及び支持管１２の下端１２２に対して垂直に左右方向へ延伸して構成されている。ストッパー１８は、保持管１４に常時当接して保持管１４の下方への揺動を阻止することができるように、メインフレーム１１上に設けられている。
この乗馬フィットネス機器１を使用する時、使用者は、サドル１５に座って、両足を伸ばして操作管１３の下端１３２を踏んでそれを前方へ押し出すと共に、両手で操作管１３の上端１３１を握ったまま（図５参照）、操作管１３の上端１３１を使用者の方向（後方）へ近づけるように引っ張る。これによって、操作管１３を矢印の方向に揺動させることができると共に、連結管１６を介して保持管１４を引っ張って保持管１４を前方へ揺動させながら、サドル１５を持ち上げ状に上方へ移動させることができる（図６参照）。
この場合、使用者は、サドル１５に着座したまま、その身体の重心がサドル１５の上方移動に抗しながら、身体のバランスや筋力の訓練をすることができる。
【考案の開示】
【考案が解決しようとする課題】
【０００４】
ところが、このような乗馬フィットネス機器１は、使用者の体を前後にのみ揺動させるので、乗馬運動を模倣したものというよりは、むしろボート漕ぎにきわめて似ているものである。
また、この乗馬フィットネス機器１は、その身長が常人より高い人や身長が低い子供などに使用される時、使用者の実際的な身長に合わせて操作管１３と保持管１４との前後の相対位置や保持管１４の高さを調整することができないため、実用性が理想的であるとはまだまだ言えない。
なお、ストッパー１８と保持管１４との接触面積が小さいため、保持管１４が下方へ揺動してストッパー１８と接触する際、それによる振動がかなり大であり、この乗馬フィットネス機器１を長時間使用すると、使用者の体（特に臀部）が疼痛を感じるという欠点がある。
【０００５】
上記に鑑みて、本考案の第１の目的は、使用の時に、使用者が、乗馬にきわめて似ている動感を得ながら、体のバランス感及び筋肉強化を訓練することができる乗馬フィットネス機器を提供しようとすることにある。
また、本考案の第２の目的は、使用者の実際的な身長に合わせて使用することのできる乗馬フィットネス機器を提供しようとすることにある。
さらに、本考案の第３の目的は、使用の時に、使用者が快適さを感じることのできる乗馬フィットネス機器を提供しようとすることにある。
【課題を解決するための手段】
【０００６】
前記第１の目的を達成するために、本考案は、前後方向に延伸した状態に設けられている台座と、この台座から立ち上がるように設けられている支持フレームと、前後両端を有し、その前端が前記支持フレームの前方へ延出し、且つ、該前後両端の間の特定箇所で上下揺動可能に前記支持フレームに枢支されていて、その前端近くが踏まれると下方へ揺動することができる足掛け手段と、この足掛け手段から立ち上がるように、その前記後端近くで上下揺動可能に枢支されている保持手段と、この保持手段によって前記台座の上方に保持されていて使用者が着座することができる腰掛け台とを備えていることを特徴とする乗馬フィットネス機器を提供する。
【０００７】
前記第２の目的を達成するために、前記保持手段は、上下両端を有し、その上端近くに上下一組の通孔が形成され、その下端近くで前記足掛け手段の後端近くに枢支されている保持管と、上下両端を有し、その下端近くの部分が前記保持管の上端近くの部分に外嵌し、且つ、そこに貫通孔が形成されている接続管とからなる、伸縮可能なものであり、前記接続管は、前記貫通孔と前記上下一組の通孔のいずれかの１つとを通るピンによって前記保持管に保持固定することができることが好ましい。
前記第３の目的を達成するために、前記腰掛け台は、前記接続管の上端に設けられた緩衝装置と、この緩衝装置によって前記接続管の上方に揺動可能に保持されたサドルとから構成されていることが好ましい。
前記緩衝装置は、前記サドルの下面及び前記接続管の上端にそれぞれ設けられている上下２つの平板と、上下両面とこれら上下両面の間に延設されて互いに左右対称及び前後対称となっている二組の側面とを有する直方体からなり、左右２つの側面が上方の平板に枢支され、前後２つの側面が下方の平板に枢支されていて、前後左右に若干揺動することができる自在継ぎ手と、前記上下２つの平板に挟まれている複数の弾性部材とからなっていることが好ましい。
【考案の効果】
【０００８】
前記構成による本考案では、前記足掛け手段が上下揺動可能に構成されている上、前記保持手段が上下揺動可能に前記足掛け手段に枢支されているので、使用の時、前記足掛け手段が上下揺動することができるのみならず、前記保持手段が臀部の重心移動に合わせて前後揺動することができる。従って、本考案の乗馬フィットネス機器によれば、乗馬にきわめて似ている動感を得ながら、体のバランス感及び筋肉強化を訓練することができる。
また、前記腰掛け台を保持している保持手段が伸縮可能に構成されているので、その長さを使用者の身長に応じて調整することができる。
【０００９】
前記保持手段の長さを調整する場合、前記接続管を、前記貫通孔と前記上下一組の通孔のいずれかの１つとを通るピンによって前記保持管に保持固定すればよい。
また、前記腰掛け台では、サドルが緩衝装置によって前記接続管の上方に揺動可能に保持されているので、前記緩衝装置によって前記サドルの揺動による衝撃力を減衰させることができ、使用者が快適に身体のバランスや筋力強化の訓練をすることができる。
なお、使用者が着座するためのサドルが揺動可能に構成されているので、本考案の乗馬フィットネス機器は乗馬に一層きわめて似ている動感がする。
【考案を実施するための最良の形態】
【００１０】
以下、図面を参照しながら、本考案の好ましい実施形態を説明する。図１に示すのは、本考案の１実施形態の乗馬フィットネス機器を示す斜視図である。図２に示すのは、図１の乗馬フィットネス機器の分解斜視図である。図３に示すのは、図１の乗馬フィットネス機器の１つの使用状態を示す説明図である。図４に示すのは、図１の乗馬フィットネス機器の他の１つの使用状態を示す説明図である。
図１及び図２に示すように、本実施形態の乗馬フィットネス機器は、台座２と、支持フレーム３と、足掛け手段４と、保持手段５と、腰掛け台６とを備えている。
【００１１】
台座２は前後方向に延伸した状態に設けられている。支持フレーム３は台座２からほぼ垂直に立ち上がるように設けられている。足掛け手段４は、前後両端４１，４２を有し、その前端４１が支持フレーム３の前方へ延出し、且つ、その後端４２が前後両端４１，４２の間の特定箇所で支持フレーム３に上下揺動可能に枢支されている。この足掛け手段４は、その前端４１近くが踏まれると下方へ揺動することができる。
保持手段５は、足掛け手段４からほぼ垂直に立ち上がるように、足掛け手段４の後端４２の近くで上下揺動可能に枢支されている、伸縮可能な手段である。腰掛け台６は、保持手段５によって台座２の上方に保持されていて、使用者が着座することができる台である。
【００１２】
台座２は、もっと詳しく説明すると、前後方向に伸びる１つの水平管２１と、左右方向へ伸びる２つの横管２２，２２とからなっている。水平管２１は、前後両端２１１，２１２を有している。横管２２，２２は、水平管２１の前後両端２１１，２１２のそれぞれに、水平管２１に対してほぼ垂直に設けられている。
支持フレーム３は、水平管２１の左右両側面からそれぞれほぼ垂直に立ち上がるように設けられた２つの支持枠３１，３１からなっている。なお、支持枠３１，３１どうしの間及び水平管２１の上面には、足掛け手段４の上下揺動の上限部および下限部として、足掛け手段４の上下揺動を止める上下２つの止め部材３２，２３が設けられている。足掛け手段４は、その後端４２からその前端４１へ徐々に上がってからほぼ水平に曲がるように、２つの支持枠３１，３１どうしの間から前方へ延出している。
また、保持手段５は、図２に示すように、保持管５１と、接続管５２とからなっている。保持管５１は、上下両端５１１，５１２を有し、その上端５１１近くに上下一組の通孔５１３が形成され、その下端５１２近くが、足掛け手段４の後端４２近くに枢支されている。接続管５２は、上下両端５２１，５２２を有し、その下端５２２近くの部分が保持管５１の上端５１１近くの部分に外嵌し、且つ、そこに貫通孔５２３が形成されている。
【００１３】
このように構成されていることにより、使用者の実際の身長に応じて保持手段５の長さ（高さ）を調整する場合、ねじ付きピン７をまず緩めて、接続管５２を上へ引っ張ったり下へ押したりして貫通孔５２３を通孔５１３の適当な１つと合わせた後、ねじ付きピン７をねじ込めばよい。
また、腰掛け台６は、接続管５２の上端５２１に設けられた緩衝装置６１と、この緩衝装置６１によって接続管５２の上方で前後左右に少々揺動可能に保持されたサドル６２とから構成されている。サドル６１には、その下面から前方へ延出していて使用者に握られるハンドル６３が設けられている。
【００１４】
更に、緩衝装置６１は、上下２つの平板６１１，６１２と、自在継ぎ手６１３と、複数の弾性部材６１４とからなっている。平板６１１，６１２はそれぞれ、サドル６２の下面と接続管５２の上端５２１とに設けられている。自在継ぎ手６１３は、上下両面とこれら上下両面の間に延設されて互いに左右対称及び前後対称となっている二組の側面とを有する直方体からなり、左右２つの側面が上方の平板６１１に枢支され、前後２つの側面が下方の平板６１２に枢支されていて、前後左右に若干揺動することができる。複数の弾性部材６１４は、上下２つの平板６１１，６１２に挟まれている。それにより、サドル６２が自在継ぎ手６１３の揺動に従い揺動すると、サドル６２が複数の弾性部材６１４を圧縮するので、その揺動による衝撃力を減衰させることができる。
【００１５】
また、支持フレーム３の上端近くには、保持手段５の上下揺動を案内するための案内機構８が枢支されている。この案内機構８は、保持管５１が挿通される中空ケース８１と、この中空ケース８１内の前記保持管５１の両側に並ぶように保持されていて保持管５１の上下揺動を案内する４つのコロ８２とからなっている。
この乗馬フィットネス機器を使用する時、図３に示すように、使用者がサドル６２に着座した後、両手でハンドル６３を握り、且つ、両足を足掛け手段４の前端４１に置き、そして、ハンドル６３を握ったまま、図４に示すように、両足を伸ばして足掛け手段４の前端４１を下へ押圧する。
【００１６】
すると、足掛け手段４の後端４２が上方へ揺動し、この揺動は、保持手段５を、案内機構８の案内によって上方へ移動させると共に、使用者の両足の踏み込みによる重心移動に合わせて前方へ少々傾かせる。使用者が両足を縮めて足掛け手段４の前端４１への押圧力を釈放しながら重心を尻の方へ戻すと、保持手段５が案内機構８の案内によって下方へ移動すると共に、使用者の重心移動に合わせて前記の傾斜状態から元の直立位置に戻る。
保持手段５のこのような動作は、足掛け手段４を後端４２が下へ前端４１が上へと揺動させ、元の位置に戻らせる。即ち、この乗馬フィットネス機器を使用すると、使用者は両足の伸縮往復動によって体全体を上下揺動させながら前後揺動させることができる。また、使用者が前後揺動及び上下揺動するうちに、サドル６２も自在継ぎ手６１３によって前後？左右に揺動することができる上、その揺動を弾性部材６１４によって和らげることができる。
【００１７】
このようにして、前後も左右も上下も揺動移動する、乗馬にきわめて似ている動感を得ながら、体のバランス感及び筋肉強化を訓練することができる。
上述した実施形態から分かるように、本考案の乗馬フィットネス機器によれば、その全体の構造により、使用者が、前後も左右も上下も揺動移動する、乗馬にきわめて似ている動感を  得ながら、体のバランス感及び筋肉強化を訓練することができる。また、保持手段５が伸縮可能に構成されているので、その長さを使用者の身長に応じて調整することができる。なお、サドル６２が緩衝装置６１を介して保持手段５の上に保持されているので、サドル６２の揺動による衝撃力を減衰させることができ、使用者が快適に身体のバランスや筋力強化の訓練をすることができる。
【産業上の利用可能性】
【００１８】
本考案は、使用の時に、使用者が、乗馬にきわめて似ている動感を得ながら、体のバランス感及び筋肉強化を訓練することができる乗馬フィットネス機器を提供することができる。
【図面の簡単な説明】
【００１９】
【図１】本考案の１実施形態の乗馬フィットネス機器を示す斜視図である。
【図２】図１の乗馬フィットネス機器の分解斜視図である。
【図３】図１の乗馬フィットネス機器における１つの使用状態を示す説明図である。
【図４】図１の乗馬フィットネス機器における他の１つの使用状態を示す説明図である。
【図５】従来の乗馬フィットネス機器における１つの使用状態を示す説明図である。
【図６】従来の乗馬フィットネス機器における他の１つの使用状態を示す説明図である。
【符号の説明】
【００２０】
２      台座
２１    水平管
２２    横管
２３    下止め部材
３      支持フレーム
３１    支持枠
３２    上止め部材
４      足掛け手段
４１    前端
４２    後端
５      保持手段
５１    保持管
５１１  上端
５１２  下端
５１３  通孔
５２    接続管
５２１  上端
５２２  下端
５２３  貫通孔
６      腰掛け台
６１    緩衝装置
６１１  上板
６１２  下板
６１３  自在継ぎ手
６１４  弾性部材
６２    サドル
６３    ハンドル
７      ピン
８      案内機構
８１    中空ケース
８２    コロ
【図１】
0003105279.tif 000003
【図２】
0003105279.tif 000004
【図３】
0003105279.tif 000005
【図４】
0003105279.tif 000006
【図５】
0003105279.tif 000007
【図６】
0003105279.tif 000008